(57)【要約】要約書なし。【特許請求の範囲】
【請求項１】
選択されたユーザの購入情報を共用するためのコンピューティングシステムにおける方法であって、
前記選択されたユーザから指定されたアイテムの注文を受け取ることと、
前記注文を受け取ることに応答して、
前記注文を満たすように処理すること、
前記注文に関する情報を他のユーザと共用すべきか否かを選択するプロンプトを、前記選択されたユーザに表示することと、
前記ユーザが、前記注文に関する情報を他のユーザと共用することを選択したことを示す入力を受け取った場合には、前記注文に関する情報を他のユーザと共用すべきであるという標識を記憶することと
を備えたことを特徴とする方法。
【請求項２】
前記指定されたアイテムを共用すべきユーザグループを示す入力を、前記選択されたユーザから受け取ることをさらに備え、
前記記憶された標識は、前記受け取った入力によって示されるユーザグループの標識を含むことを特徴とする請求項１に記載の方法。
【請求項３】
前記記憶された標識は、前記指定されたアイテムを全てのユーザと共用すべきであることを示すことを特徴とする請求項１に記載の方法。
【請求項４】
選択されたユーザの購入情報を共用するためのコンピューティングシステムにおける方法であって、
前記選択されたユーザに、前記選択されたユーザによって購入されたアイテムのリストを表示することと、
前記アイテムのリストの一部分を選択するユーザ入力を、前記選択されたユーザから受け取ることと、
前記選択されたユーザが前記選択されたアイテムを購入したことを、他のユーザに通知すべきであるという標識を記憶することと
を備えたことを特徴とする方法。
【請求項５】
前記選択されたユーザが前記選択されたアイテムを購入したことを通知すべきユーザのグループを示す入力を前記選択されたユーザから受け取ることをさらに備え、
前記記憶された標識は、前記受け取った入力によって示されるユーザグループの標識を含むことを特徴とする請求項４に記載の方法。
【請求項６】
前記記憶された標識は、前記選択されたユーザが前記選択されたアイテムを購入したことをすべてのユーザに通知すべきであることを示すことを特徴とする請求項４に記載の方法。
【請求項７】
第２ユーザによって行われた購入に関する情報を第１ユーザに表示するためのコンピューティングシステムにおける方法であって、
選択された商品を記述するページを表示する入力を、前記第１ユーザから受け取ることと、
前記第２ユーザが前記選択された商品を購入したと判断することと、
前記選択された商品を記述するページを前記第１ユーザに表示するときに、前記選択された商品が前記第２ユーザによって購入されたという視覚的な標識を前記ページに表示することと
を備えたことを特徴とする方法。
【請求項８】
前記第２ユーザによる前記選択された商品の評価を前記ページに表示することをさらに備えたことを特徴とする請求項７に記載の方法。
【請求項９】
前記選択された商品の前記第２ユーザの購入に関する情報を前記第１ユーザと共用する命令を、前記第２ユーザから受け取ることをさらに備えたことを特徴とする請求項７に記載の方法。
【請求項１０】
前記第２ユーザの購入に関する情報を前記第１ユーザと共用する命令を、前記第２ユーザから受け取ることをさらに備えたことを特徴とする請求項７に記載の方法。
【請求項１１】
前記第２ユーザの購入に関する情報を前記第１ユーザを含むユーザのグループと共用する命令を、前記第２ユーザから受け取ることをさらに備えたことを特徴とする請求項７に記載の方法。
【請求項１２】
前記第２ユーザが前記選択された商品を購入したことに関する情報を前記第２ユーザ以外のユーザと共用する命令を、前記第２ユーザから受け取ることをさらに備えたことを特徴とする請求項７に記載の方法。
【請求項１３】
第２ユーザによって行われた購入に関する情報を第１ユーザに表示するためのコンピューティングシステムにおける方法であって、
前記第２ユーザに関する情報を含むページを表示する入力を、前記第１ユーザから受け取ることと、
前記第２ユーザが前記選択された商品を購入したと判断することと、
前記第２ユーザに関する情報を含む前記ページを表示するときに、前記選択された商品が前記第２ユーザによって購入されたという標識を前記ページに表示することと
を備えたことを特徴とする方法。
【請求項１４】
前記第２ユーザによる前記選択された商品の評価を前記ページに表示することをさらに備えたことを特徴とする請求項１３に記載の方法。
【請求項１５】
前記選択された商品の前記第２ユーザの購入に関する情報を前記第１ユーザと共用する命令を、前記第２ユーザから受け取ることをさらに備えたことを特徴とする請求項１３に記載の方法。
【請求項１６】
前記第２ユーザの購入に関する情報を前記第１ユーザと共用する命令を、前記第２ユーザから受け取ることをさらに備えたことを特徴とする請求項１３に記載の方法。
【請求項１７】
前記第２ユーザの購入に関する情報を前記第１ユーザを含むユーザのグループと共用する命令を、前記第２ユーザから受け取ることをさらに備えたことを特徴とする請求項１３に記載の方法。
【請求項１８】
前記第２ユーザが前記選択された商品を購入したことに関する情報を前記第２ユーザ以外のユーザと共用する命令を、前記第２ユーザから受け取ることをさらに備えたことを特徴とする請求項１３に記載の方法。
【請求項１９】
第２ユーザによって行われた購入について、第１ユーザに通知することをコンピューティングシステムに行わせる内容を有するコンピュータ読み取り可能媒体であって、
前記第２ユーザがアイテムを購入したと検出することと、
前記第１ユーザが、前記第２ユーザと購入を通知する関係を有すると判断することと、
前記第２ユーザが前記アイテムを購入したという通知を前記第１ユーザに提供することと
によることを特徴とするコンピュータ読み取り可能媒体。
【請求項２０】
前記第２ユーザが前記アイテムを購入したという通知は、前記第１ユーザによって要求されたウェブページに購入の視覚的な標識を表示することによって前記第１ユーザに提供されることを特徴とする請求項１９に記載のコンピュータ読み取り可能媒体。
【請求項２１】
前記第２ユーザが前記アイテムを購入したという通知は、前記第１ユーザにメッセージを送ることによって前記第１ユーザに提供されることを特徴とする請求項１９に記載のコンピュータ読み取り可能媒体。
【請求項２２】
前記送られるメッセージは、電子メールメッセージであることを特徴とする請求項２１に記載のコンピュータ読み取り可能媒体。
【請求項２３】
前記送られるメッセージは、インスタントメッセージであることを特徴とする請求項２１に記載のコンピュータ読み取り可能媒体。
【請求項２４】
前記送られるメッセージは、ページャメッセージであることを特徴とする請求項２１に記載のコンピュータ読み取り可能媒体。
【請求項２５】
前記送られるメッセージは、郵便メッセージであることを特徴とする請求項２１に記載のコンピュータ読み取り可能媒体。
【請求項２６】
前記送らるメッセージは、音声メールメッセージであることを特徴とする請求項２１に記載のコンピュータ読み取り可能媒体。
【請求項２７】
前記第２ユーザからの命令に応答して前記第１ユーザに対して前記第２ユーザと購入を通知する関係を確立することを、前記コンピューティングシステムにさらに行わせる内容を有することを特徴とする請求項１９に記載のコンピュータ読み取り可能媒体。
【請求項２８】
前記第１ユーザからの命令に応答して前記第１ユーザに対して前記第２ユーザと購入を通知する関係を確立することを、前記コンピューティングシステムにさらに行わせる内容を有することを特徴とする請求項２５に記載のコンピュータ読み取り可能媒体。
【請求項２９】
前記第１および第２ユーザの特徴の比較に応答して前記第１ユーザに対して前記第２ユーザと購入を通知する関係を確立することを、前記コンピューティングシステムにさらに行わせる内容を有することを特徴とする請求項２５に記載のコンピュータ読み取り可能媒体。
【請求項３０】
前記通知は、前記アイテムに関する前記第２ユーザからの許可に応答してのみ提供されることを特徴とする請求項２５に記載のコンピュータ読み取り可能媒体。
【請求項３１】
前記通知は、前記商品に関する付加的な情報を得るための制御を含むことを特徴とする請求項２５に記載のコンピュータ読み取り可能媒体。
【請求項３２】
前記通知は、前記商品を購入するための制御を含むことを特徴とする請求項２５に記載のコンピュータ読み取り可能媒体。
【請求項３３】
前記検出は、前記第２ユーザからの前記アイテムの注文を受け取ることを備えたことを特徴とする請求項２５に記載のコンピュータ読み取り可能媒体。
【請求項３４】
前記検出は、前記第２ユーザのための贈り物として前記アイテムを注文する第３ユーザからの注文を受け取ることを備えたことを特徴とする請求項２５に記載のコンピュータ読み取り可能媒体。
【請求項３５】
前記検出は、前記第２ユーザが前記アイテムを所有することを示す入力を、前記第２ユーザから受け取ることを備えたことを特徴とする請求項２５に記載のコンピュータ読み取り可能媒体。
【請求項３６】
選択されたユーザの購入共用データ構造を集合的に含む１または複数のコンピュータメモリであって、前記データ構造は、前記選択されたユーザによって購入されたアイテムを通知すべきユーザグループを識別する情報を備え、
前記データ構造の内容を使用して、前記選択されたユーザによって購入されたアイテムを前記識別されたユーザグループに通知することを特徴とするコンピュータメモリ。
【請求項３７】
前記データ構造は、少なくとも２つのユーザグループを識別する情報を備え、各々のユーザグループは、前記選択されたユーザによって購入されたアイテムの異なるセットが通知されることを特徴とする請求項３６に記載のコンピュータメモリ。
【請求項３８】
前記データ構造は、少なくとも２つのユーザグループを識別する情報を備え、各々のユーザグループは、前記選択されたユーザによって購入されたアイテムが異なる方法で通知されることを特徴とする請求項３６に記載のコンピュータメモリ。
【請求項３９】
選択されたユーザの購入共用データ構造を集合的に含む１または複数のコンピュータメモリであって、前記データ構造は、前記選択されたユーザによって購入されたことを他のユーザグループに公表すべきアイテムのセットを識別する情報を備え、
前記データ構造の内容を使用して、識別されたアイテムの購入を他のユーザグループに公表することを特徴とするコンピュータメモリ。
【請求項４０】
前記データ構造は、少なくとも２セットのアイテムを識別する情報を備え、各々のアイテムのセットは、異なる他のユーザグループに公表されることを特徴とする請求項３９に記載のコンピュータメモリ。
【請求項４１】
前記データ構造は、少なくとも２セットのアイテムを識別する情報を備え、各々のアイテムのセットは、異なる方法で公表されることを特徴とする請求項３９に記載のコンピュータメモリ。
【請求項４２】
データ構造を集合的に伝達する１または複数のデータ信号であって、前記データ構造は、選択されたユーザに関連付けられたユーザグループによって購入されたアイテムの少なくとも一部分のリストを備え、
前記データ構造の内容を使用して、前記選択されたユーザに関連付けられたユーザによって購入されたアイテムを識別することを特徴とするデータ信号。
【請求項４３】
前記リストは、各アイテムを購入した関連付けられたユーザの数に従って配列されることを特徴とする請求項４２に記載のデータ信号。
【請求項４４】
前記リストは、各アイテムを購入した関連付けられたユーザの数の標識を含むことを特徴とする請求項４２に記載のデータ信号。
【請求項４５】
デフォルト共用フラグデータ構造を集合的に含む１または複数のコンピュータメモリであって、選択されたユーザがアイテムを取得したことが検出されると、前記選択されたユーザが前記アイテムを取得したという通知を、前記選択されたユーザ以外のユーザに自動的に提供すべきかどうかの標識を備えたことを特徴とするコンピュータメモリ。
【請求項４６】
前記デフォルト共用フラグは、前記選択されたユーザによって購入された全てのアイテムに適用されることを特徴とする請求項４５に記載のコンピュータメモリ。
【請求項４７】
前記デフォルト共用フラグは、前記ユーザに関連付けられた希望リストから、前記選択されたユーザのために購入されたアイテムに独占的に適用されることを特徴とする請求項４５に記載のコンピュータメモリ。
【請求項４８】
前記デフォルト共用フラグの状態は、永久であることを特徴とする請求項４５に記載のコンピュータメモリ。
【請求項４９】
前記デフォルト共用フラグの状態は、前記選択されたユーザからの入力に応答して修正可能であることを特徴とする請求項４５に記載のコンピュータメモリ。
【発明の詳細な説明】
【０００１】
（技術分野）
本発明は、ショッピング情報システムの分野を対象とする。
【０００２】
（背景）
ワールドワイドウェブ（「ウェブ」）は、情報を公開するためのシステムであり、ユーザは、ウェブブラウザアプリケーションを使用して、ウェブページなどの情報を、ウェブサーバから取り出し、その情報を表示することができる。検索エンジン、主題インデックス、ウェブページとウェブサイトとのリンクは、ウェブ上で公開される情報の探査を容易にする。
【０００３】
ウェブは、商品を買うために使用される媒体になっている。実際、数百万件の様々な商品を、ウェブ上で購入することができる。ウェブ上で商品を購入しようとするユーザは、その商品を販売するウェブ商店（Ｗｅｂ ｍｅｒｃｈａｎｔ）のウェブサイトを訪れ、その商品に関する情報を見て、商品を購入する命令を与え、支払情報、出荷情報などの購入を完了するために必要な情報を提供する。
【０００４】
他の種類の商店と同様に、ウェブ商店は、商品を顧客に販売することによって収入および利益を作り出す。従って、商品の販売を容易にするウェブ商店のウェブサイトの態様は、ウェブ商店の収益性レベルに寄与する。例えば、Ａｍａｚｏｎ．ｃｏｍによって開発されたワンクリック購入システムは、顧客が商品購入を完了するのをより容易にすることによって、このシステムを用いるウェブ商店の収益性レベルに寄与する。
【０００５】
商品販売を容易にするウェブ商店のウェブサイトの態様に加えて、ウェブ商店のウェブサイトの他の態様もまた、そのウェブ商店の収益性レベルに寄与する可能性がある。ウェブ商店のウェブサイトにかかる他の態様の中で主要なものは、より多くの顧客と潜在する顧客（以下、「ユーザ」という）に、ウェブ商店のウェブサイトをより頻繁に訪れ、より長い期間、そこに「留まって」コンテンツを見るように動機を与えることである。このようにウェブサイトがユーザに動機を与える程度は、ときにウェブサイトの「スティッキネス（ｓｔｉｃｋｉｎｅｓｓ）」レベルと呼ばれる。
【０００６】
特にスティッキ（ｓｔｉｃｋｙ）なウェブサイトを有するウェブ商店は、しばしば、いくつかの方法で収益性を改善することができる。第１に、より多数のユーザが、より頻繁にウェブサイトを訪れ、より長く留まるので、ウェブ商店は、商品をユーザに販売する機会が多くなり、結局より多くの商品をユーザに販売する。第２に、ウェブ商店がそのウェブサイト上に広告を表示することを選択すると、その広告から実現される収入レベルは、ウェブ商店のウェブサイト上のトラヒックが増加するにつれて増加する。第３に、ウェブ商店が、他のウェブサイトとの間で、紹介またはトラヒックを共用する合意を得ることを選択すると、ウェブ商店のウェブサイトにおける高レベルのトラヒックは、これら合意から得られる収入を増加させること、または少なくともこれらの合意のコストを減少させることができる。第４に、ユーザがウェブサイトのコンテンツに寄与するようにウェブサイトが奨励することができる限り、このようなユーザに寄与されたコンテンツは、ウェブサイトをさらにスティッキにして、スティッキネスが収益性に寄与する他の方法を強化する。従って、ウェブページのスティッキネスを向上する、ウェブ商店のウェブサイトにかかる任意の態様は、ウェブ商店の収益性を改善することができる。
【０００７】
ユーザがウェブ上のショッピングを受け入れる割合が幾分低かった１つの理由は、ウェブ上のショッピングは、物理的な店舗でのショッピングに対して、ほとんどの人々が有する実用的な目的を満足させるが、ウェブ上のショッピングは、物理的な店舗でのショッピングに対して、多数の人々が有する「娯楽」または「共有された活動」目的を満たすには至っていないことである。従って、これらのショッピング「娯楽」および「共有された活動」目的を満たす助けになる、ウェブ商店のウェブサイトの新しい特徴、特にウェブサイトのスティッキネスレベルを増加した特徴であれば、著しい効用を有するであろう。
【０００８】
（詳細な説明）
購入を共用するソフトウェア機能は、「共用ユーザ」と呼ぶユーザが、自分の購入に関する情報を、他のユーザと選択的に共用することを可能にする。様々な点で、本機能は、共用ユーザが購入した商品を、共用ユーザが共用するために選択することを可能にする。例えば、共用ユーザは、商品が購入されたとき、またはその後に共用する商品を選択することができる。
【０００９】
ユーザは、選択された購入に関する情報を共用する１組のユーザを、任意に選択または定義することができる。ユーザは、選択された購入に関する情報をすべてのユーザと共用すること、または選択された購入に関して異なる量の情報を異なるグループのユーザと共用すること、または異なるグループのユーザに関する情報を異なる状況で共用することもできる。
【００１０】
共用ユーザは、特定の共用された購入のために共用される情報に、任意に情報を追加することもまたできる。例えば、共用ユーザは、購入した商品の格付け、または商品のレビューまたは他の議論を追加することができる。
【００１１】
共用ユーザが共用する購入を選択した後は、その購入に関する情報は、その共用ユーザによって情報を受け取るように指定された１または複数のユーザグループの任意のユーザに提供される。例えば、このグループ内のユーザが、購入した商品の説明を含むウェブページを訪れるとき、本機能は、共用ユーザがその商品を購入したという視覚的な標識（ｉｎｄｉｃａｔｉｏｎ）を表示することができる。その標識には、共用ユーザが商品を購入したことに関する付加的な詳細を添えること、または付加的な詳細へのリンクを含めることのいずれかができる。付加的な詳細は、共用ユーザが商品を購入した日付、および商品に対する共用ユーザのフィードバックを含むことができる。共用された購入に関する情報は、指定されたグループ内のユーザが、共用ユーザに関する情報を含むページを訪れるときに、ユーザに提供すること、または様々な種類のメッセージでユーザに送信することもできる。上述の付加的な詳細に加えて、このページ上に表示された購入に関する情報は、その名前、説明、イメージ、商品を購入するためまたはその商品を希望リストに追加するための制御を含む、商品に関する情報を含むことができる。
【００１２】
いくつかの実施形態において、本機能は、「友人のベストセラーリスト」をユーザに提供する。友人のベストセラーリストは、現在のユーザと購入情報を共用する関係を有する１または複数のユーザによって購入された商品を識別する。特定の実施形態において、友人のベストセラーリストは、各商品を購入した購入情報を共用する関係を有する他のユーザ数の降順により並び替えられる。
【００１３】
この方法で購入情報の共用を容易にすることによって、本機能は、オンラインショッピングに欠落している「娯楽」または「共有された活動」の感覚を、オンラインショッピングモデルに追加する。この処理において、本機能は、直接には商品の販売を容易にし、間接にはウェブ商店のウェブサイトのスティッキネスレベルを著しく向上することによってウェブ商店の収益性レベルに寄与する。
【００１４】
図１は、本機能が動作する典型的な環境を示す高レベルのブロック図である。このブロック図は、クライアントコンピュータシステム１１０、１２０、１３０など、いくつかのクライアントコンピュータシステムを示す。各クライアントコンピュータシステムは、ウェブクライアント１１１、１２１、１３１など、ワールドワイドウェブを閲覧するためのウェブクライアントコンピュータプログラムを有する。クライアントコンピュータシステムは、インターネット１４０を介して、本機能をホスティングするサーバコンピュータシステム１５０に接続される。しかし、クライアントコンピュータシステムがインターネット以外のネットワークによってサーバコンピュータシステムに接続できることを、当業者なら理解するであろう。
【００１５】
サーバコンピュータシステム１５０は、メモリ１６０を含む。メモリ１６０は、機能１６２および好ましくはその機能が使用する購入共用データ１６３の両方を組込む商店ソフトウェア１６１を含む。
【００１６】
メモリは、好ましくは、ウェブクライアントからの要求に応答してウェブページを配送するためのウェブサーバコンピュータプログラム１６４をさらに含む。アイテム１６１〜１６４は、好ましくは、使用中にメモリ内に記憶されるが、これらのアイテムまたはその一部が、メモリ管理およびデータ整合の目的で、メモリと永続的記憶デバイス間で転送されることを当業者なら理解するであろう。サーバコンピュータシステムは、プログラム１６１〜１６４などのプログラムを実行するための１または複数の中央処理ユニット（ＣＰＵ）１７１と、フロッピー（登録商標）ディスク、ＣＤ−ＲＯＭ、ＤＶＤなどのコンピュータ読み取り可能媒体から情報を読み取り、または本機能などのプログラムをインストールするためのコンピュータ読み取り可能媒体ドライブ１７３とをさらに含む。
【００１７】
上述の環境の点で好ましい実施形態を述べたが、単一のモノリシックコンピュータシステム、ならびにコンピュータシステムまたは様々な方法で接続された同様のデバイスの様々な組合せを含む、他の様々な環境内で本機能を実施することができることを当業者なら理解するであろう。
【００１８】
本機能の実装および動作をより効果的に述べるために、一例としての文脈で本機能を以下に述べる。この例の態様を、図２〜７に示す。
【００１９】
図２〜５は、本機能が他のユーザによって行われた購入に関する情報をどのようにユーザに表示するかの例を示す。図２は、ニックネームが「ｊｊ」である共用ユーザの共用購入ウェブページの第１の部分の画面を示す図である。このウェブページは、このユーザが共用すると決めた、ユーザｊｊによって行われた購入のいくつかまたはすべてを列挙する。このウェブページの第１部分を示すディスプレイ２００は、２つの共用購入２１０および２２０に関する情報を含む。各々の場合、購入に関する情報は、購入された商品名を含み、これは、典型的には、商品名２１１のように、商品に関するより広範囲の情報を含む他のページにリンクされる。商品に関する情報は、商品の写真、商品の種類、商品の名前、商品の製造業者、商品の価格、商品の説明、商品の購入条件、商品を作成した人、商品の購入条件などの情報、ならびに様々な他の種類の情報を含むことができる。購入された商品に関する情報は、ショッピングカートに商品を加えるためのボタン２１２のようなカートボタンを加えること、またはボタン２１３のような希望リストに商品を加えるための希望リストボタンを加えることなど、他の様々な制御を含むことができる。さらに追加の対話をすることなく商品を直ちに購入するためのワンクリック購入ボタン（ここには示されていない）など、他の様々な制御を含むことができる。
【００２０】
図３は、図２に示す共用購入ウェブページの残りの部分の画面を示す図である。ディスプレイ３００は、ユーザｊｊによって購入されて共用された追加の商品を示す。ディスプレイは、３つの追加商品３１０、３２０、および３３０に関する情報を示す。商品３２０に関する情報は、ユーザｊｊによって割り当てられた星印の格付けによる格付け３２４、およびユーザｊｊによって許可された説明３２５を含む、ユーザｊｊからのフィードバックを含む。この情報は、一般的に、購入するユーザによって生成され、共用された購入をレビューするユーザが、購入された商品を購入することに関心があるか否かを判断するのを支援する。商品に対するこのフィードバックは、商店が提供することができる商品に関する他の種類の情報とは異なり、（ａ）プロのマーケッタとは反対に、明確に識別されたユーザからのものであり、（ｂ）フィードバックを用意するユーザの個々のスタイルを反映する。これらの要素は多くの場合、ユーザフィードバックのこの形態は、他の購入者からより大きい重みが与えられ、商品に関する他の情報を表示することによっては作り出されなかったであろう追加の販売につながる可能性を高くする。さらに、購入するユーザの知人は、購入するユーザからのフィードバックを、購入するユーザからの会話の一種として読み取ることができる。購入するユーザを知らない他のユーザは、このフィードバックをチラシの一種として読み取ることができる。両方の場合において、購入するユーザからのフィードバックの見方は、商店のウェブサイトのスティッキネスに寄与する。
【００２１】
図４は、ｊｊ以外のユーザの「お友達およびお気に入り」ウェブページの画面を示す図である。このユーザ「Ｓｔｅｖｅ」は、ユーザｊｊと購入情報を共用する関係を有する。ディスプレイ４００の表現において、ｊｊは、ユーザＳｔｅｖｅのお気に入りの人物であり信頼される友人である。従って、ユーザＳｔｅｖｅのためのお友達およびお気に入りウェブページは、ユーザｊｊが、信頼される友人およびお気に入りの人々と共用した追加の活動を最近実行したという標識４１０を含む。この標識は、図２および３に示すユーザｊｊの共用された購入者のウェブページに渡ることができるリンク４１１を含む。このように、ユーザｊｊと購入情報を共用する関係を有するユーザは、ユーザｊｊの最近の購入および／または最近共用された購入を見つけ、それを読み取ることができる。
【００２２】
図５は、商品説明ウェブページの画面を示す図である。商品に関する他の様々な種類の情報と商品を購入するための制御とに加えて、ディスプレイ５００は、商品を購入した他のユーザのディスプレイ５１０を含む。ディスプレイ５１０は、ｊｊがその商品を購入したという標識５１１を含む。標識５１１は、この商品に関する情報を含むユーザｊｊの共用購入ウェブページの一部に対するリンクである。代替実施形態では、標識５１１は、購入するユーザの共用購入ウェブページに示された任意の情報など追加の情報を含むことができる。商品説明ウェブページ上のこの情報を商店ウェブサイトを通して表示することにより、本機能は、共用された購入機能に気づいていないユーザ、またはその機能を具体的に見つけられなかったユーザに、共用された購入情報を配付することができる。多くの場合、ユーザが、商品説明ウェブページに記載された商品の購入を考えていれば、ユーザが信頼すると判断するユーザの友人が既にそのアイテムを購入したという標識は、その商品を購入するユーザに影響を与える著しい要素となる可能性がある。さらに、商品説明ウェブページ上の標識は、共用された購入機能にユーザの紹介または再紹介する役割を果たすことができる。この場合、ユーザは、共用ユーザまたは他のユーザの他の共用された購入の調査に進むことができる。
【００２３】
共用された購入情報は、例えば、他の様々なウェブページ上に購入情報を表示すること、様々な種類の電子メッセージをユーザに送ること、またはユーザに手紙を送ることを含む、他の様々な方法で配付することができる。
【００２４】
図６〜７は、購入するユーザが、商品の購入に関する情報をどのように共用することができるかの例を示す。図６は、ユーザＳｔｅｖｅによる商品の注文に応答して生成される画面を示す図である。ディスプレイ６００は、商品の名前６０１、ならびに購入共用の商品を指定するためにユーザがクリックすることができる共用ボタン６０２を示す。以下に詳細に議論するように、ディスプレイ６００は、いくつかの実施形態において、購入に関する情報を共用する１組のユーザを指定するため、および共用された情報の一部として商品に関するフィードバック（少なくとも予備のフィードバック）を提供するための追加制御を含むことができる。
【００２５】
図７は、過去の購入に対するフィードバックを共用し提供するためにユーザによって使用可能な画面を示す図である。ディスプレイ７００は、行７１０、７２０、７３０、７４０など、いくつかの過去の購入の各々についての行を含む。これらの購入のいずれも、すべてのユーザ、またはユーザが特別な購入情報を共用する関係を有するユーザのいずれかと共用することができる。ユーザは、ラジオボタン７０１を使用して、すべてのユーザまたはユーザが購入情報を共用する関係を有するユーザ（「信頼された友人」）のいずれかを選択する。代替実施形態では、ユーザは、購入情報を共用する他のグループを指定することができる。この購入情報は、ユーザによって以前に定義されたグループ、ユーザによって動的に定義されたグループ、ユーザ以外のだれかによって定義されたグループ、他のユーザ自身が入ることを決めたグループ、および、購入されたアイテム、ショッピングパターン、地理的な場所、またはユーザからまたはユーザに関して収集された他の任意の情報などの特徴を含むいくつかの組の特徴をすべてのユーザが共用するグループなどの自動的に生成されたグループを含む。
【００２６】
特定の購入を共用するために、ユーザは、購入のチェックボックスをチェックし、その購入に関するフィードバックを任意に追加することができる。例えば、行７１０に示すＭｏｄｅｒｎ Ｉｎｆｏｒｍａｔｉｏｎ Ｒｅｔｒｉｅｖａｌという本の購入に関する情報を共用するために、ユーザは、チェックボックス７１１をチェックし、コメントフィールド７１３内にコメントを入力し、商品の格付けラジオボタン７１４の１つを選択することができる。ユーザがリスト内のすべての商品を共用したいと望む場合、ユーザは、チェックボックスの各々をチェックするのではなく、全て共用ボタン７５０をクリックすることができる。
【００２７】
購入を共用する命令は、他の様々な方法で発行することができる。例えば、いくつかの実施形態では、ユーザは、購入が行われるときに各々の購入に関する情報を共用するために、永続的な「常に共用」フラグを設定することができる。一実施形態では、このフラグは、各々の購入が行われるときに自動的に共用するためのデフォルト動作を設定するために、ユーザによってトグルオン／オフすることができる。他の実施形態では、フラグは、商店においてショッピングし、購入に関する情報を他のユーザと共用することの同意に、商店が達する「著名顧客」として永久に設定することができる。
【００２８】
また、本機能の実施形態は、他の商人から行われた購入、ならびに共用ユーザ以外の人々によって行われた購入に関する情報の共用をサポートする。例えば、本機能は、好ましくは、特定の商品に関する情報を見るときに、ユーザが既にその商品を所有することを示すことを可能にする。ユーザが、既にその商品を所有していることを示すとき、本機能は、好ましくは、ユーザの商品の購入を他のユーザと共用すべきか否かを示すように、ユーザに促す。本発明のさらに他の実施形態は、ユーザに代わってほかの誰かによって購入された商品に関する情報をユーザが共用することを可能にする。例えば、第１ユーザが第２ユーザのための贈り物として商品を購入する場合、第２ユーザは、購入に関する情報を他のユーザと共用すべきかどうかを判断することができる。第２ユーザは、上述の任意の仕組みによってこの判断を行うことができる。あるいは、本機能は、第２ユーザのためにアイテムを購入したことを示す電子メールメッセージを第２ユーザに送り、購入に関する情報を他のユーザと共用すべきかどうかの返信電子メールによる判断を求めることができる。「常に共用」フラグが第２ユーザのために設定されている場合、第２ユーザによって生成された公に見ることができる希望リストから、第１ユーザによってこの商品が購入された場合など、いくつかの場合には、購入は、自動的に他のユーザと共用される。
【００２９】
図８は、ユーザＲｙａｎに対する友人ベストセラーリストを参照するユーザ「Ｒｙａｎ」のページを示す画面を示す図である。ディスプレイ８００は、ユーザＲｙａｎに対する友人ベストセラーリストに関する情報８０１を含む。この情報は、ユーザＲｙａｎに対する友人ベストセラーリストに対するリンク８０２を含む。
【００３０】
図９は、ユーザＲｙａｎに対する友人ベストセラーリストのコンテンツの画面を示す図である。ディスプレイ９００は、友人ベストセラーリスト９０１を含む。友人ベストセラーリストは、ユーザＲｙａｎが購入情報を共用する関係を有する他のユーザによって購入されたいくつかの商品の各々に関する情報を含む。例えば、情報９１０は、ユーザＲｙａｎが購入情報を共用する関係を有する、ユーザによって購入された「Ｔｈｅ Ｍａｔｒｉｘ ＤＶＤ」商品に関する。この情報の中には、この商品を購入したユーザ数のカウント９１１がある。リスト９０１は、このカウントの降順で並び替えられることが好ましい。
【００３１】
上述の機能は、様々な方法で適合または拡張することができることを当業者なら理解するであろう。例えば、本機能は、ウェブ商店以外の当事者によって実施および／または運営することができる。本機能は、様々な異なるウェブ商店、およびウェブ商店以外の商店から行われた購入に関する情報もまた表示することができる。機能は、様々な異なる方法を使用して、購入情報の共用を許可し、異なるタイプおよび数量の購入情報が共用されるユーザグループを定義しかつ選択し、実際に購入情報を共用することができる。上述の説明は、好ましい実施形態を参照するが、本発明の範囲は、上述の請求の範囲およびその中に列挙される要素によってのみ定義される。
【図面の簡単な説明】
【図１】
本機能が動作する典型的な環境を示す高レベルのブロック図である。
【図２】
ニックネームが「ｊｊ」である共用ユーザの共用購入ウェブページの第１部分の画面を示す図である。
【図３】
図２に示す共用購入ウェブページの残りの部分の画面を示す図である。
【図４】
ｊｊ以外のユーザの「お友達およびお気に入り」ウェブページの画面を示す図である。
【図５】
商品説明ウェブページの画面を示す図である。
【図６】
ユーザＳｔｅｖｅによる商品の注文に応答して生成される画面を示す図である。
【図７】
過去の購入に対するフィードバックを共用し提供するためにユーザによって使用可能な画面を示す図である。
【図８】
ユーザＲｙａｎに対する友人のベストセラーリストを参照するユーザ「Ｒｙａｎ」のページを示す画面を示す図である。
【図９】
ユーザＲｙａｎに対する友人のベストセラーリストのコンテンツの画面を示す図である。
【図１】
2004514991.tif 000002
【図２】
2004514991.tif 000003
【図３】
2004514991.tif 000004
【図４】
2004514991.tif 000005
【図５】
2004514991.tif 000006
【図６】
2004514991.tif 000007
【図７】
2004514991.tif 000008
【図８】
2004514991.tif 000009
【図９】
2004514991.tif 000010
【国際公開パンフレット】
2004514991.tif 000011
2004514991.tif 000012
2004514991.tif 000013
2004514991.tif 000014
2004514991.tif 000015
2004514991.tif 000016
2004514991.tif 000017
2004514991.tif 000018
2004514991.tif 000019
2004514991.tif 000020
2004514991.tif 000021
2004514991.tif 000022
2004514991.tif 000023
2004514991.tif 000024
2004514991.tif 000025
2004514991.tif 000026
2004514991.tif 000027
2004514991.tif 000028
2004514991.tif 000029
2004514991.tif 000030
2004514991.tif 000031
2004514991.tif 000032
2004514991.tif 000033
2004514991.tif 000034
2004514991.tif 000035
2004514991.tif 000036
2004514991.tif 000037
2004514991.tif 000038
2004514991.tif 000039
2004514991.tif 000040
2004514991.tif 000041
2004514991.tif 000042
【国際公開パンフレット（コレクトバージョン）】
2004514991.tif 000043
2004514991.tif 000044
2004514991.tif 000045